(57)【要約】【課題】  入力画像データからＴＶ表示用のデータへの変換を効率良く行う。【解決手段】  画像データを入力して表示装置に対して画像データを出力する画像出力装置を備える記録装置であって、電源スイッチと接続されている第１入力部を備える第１制御部と、リモコンデータを入力する第２入力部と前記リモコンデータの指示を判断する判断部を備える第２制御部とを備える。【選択図】  図２
2006095850.tif 000002
【特許請求の範囲】
【請求項１】
画像データを入力して表示装置に対して画像データを出力する画像出力装置を備え、画像データに基づき記録ヘッドを用いて被記録媒体に記録動作を可能とする記録装置であって、
電源スイッチと接続されている第１入力部を備える第１制御部と、
リモコンデータを入力する第２入力部と前記リモコンデータの指示を判断する判断部を備える第２制御部とを備え、
前記指示が電源オンまたは電源オフであると前記判断部が判断した場合、前記第２制御部から前記第１制御部に対して割り込み信号を出力することを特徴とする記録装置。
【請求項２】
前記第２制御部は、前記第２入力部が入力したリモコンデータを保持するレジスタと、前記リモコンデータが正しいデータか判断する第２判断部を備え、前記第２判断部が正しいと判断した場合、前記第２制御部から前記第１制御部に対して第２の割り込み信号を出力し、前記第２割り込み信号に応じて、前記第１制御部は、前記レジスタに格納されているリモコンデータを読みだすことを特徴とする請求項１に記載の記録装置。
【請求項３】
前記第１制御部が、前記割り込み信号を受けて、電源オフ処理を行う場合、前記第２割り込み信号をマスクする処理を行うことを特徴とする請求項２に記載の記録装置。
【請求項４】
前記第１制御部が、前記割り込み信号を受けて、電源オフ処理を行った後、低消費電力モードに移行することを特徴とする請求項１に記載の記録装置。
【発明の詳細な説明】
【技術分野】
【０００１】
本発明は、ビデオ信号出力装置を備えた記録装置に関するものである。
【背景技術】
【０００２】
近年、インクジェットプリンタ等の記録装置の解像度が飛躍的に向上し、様々な画像データを印刷（記録）がなされている。また、記録装置には、記憶媒体に格納されている画像データを、ＰＣ（いわゆるパーソナルコンピュータ等）などのホスト装置を介さずに直接印刷可能な記録装置も市場に出てきている。（特許文献１）
この様な環境に合わせて、印刷するために入力画像の選択の為のメニュー画面や、入力データ自体をＴＶ表示する用途として本発明が提案されている。
【０００３】
従来のプリンタは、主にＰＣに接続されて使用される事を想定して設計されていた。従って、プリンタをリモコンで操作する必要が無かった。しかし、ＴＶにメニュー画面等を表示して、ユーザに印刷画像の選択および印刷モードを選択させる場合、プリンタ本体からユーザが離れて操作する必要が出てくる。
【０００４】
これは、元々、ＴＶシステムがＴＶから一定の距離を離れて見る事を想定したシステムであるからである。一方、ＴＶでは、リモコンの使用が通常で有るが、リモコンでＴＶの電源のオン（ＯＮ）、オフ（ＯＦＦ）を行う場合、ＯＦＦ時でも消費電力はそれほど大きく下がらない。これは、リモコンでのＴＶ表示がＯＦＦからＯＮに素早く移行する為には、ＣＲＴを余熱しておく必要が有るからである。
【０００５】
機器の消費電力を下げる為には、メインＳＷをＯＦＦして、物理的に電源の供給を停止するシステムであった。従って、リモコンでのＯＦＦ時は、あえて制御回路（ＣＰＵ等）の電力を下げる必要も無く、リモコン受信は、ＣＰＵのポートに直接入力し、ＣＰＵがリモコンコードを解釈する様に構成されていた。
【特許文献１】特開２００３−２００６２１号公報
【発明の開示】
【発明が解決しようとする課題】
【０００６】
一方、インクジェットプリンタ等の記録装置では、物理的に電源の供給を停止する機能は無く、電源ＯＦＦ時は、ＣＰＵのクロック周波数をさげて消費電力を下げるかまたは、ＣＰＵをＳｌｅｅｐモード（低消費電力モード）に移行させ消費電力を下げる様に構成されている。なぜなら、電源をＯＦＦする時には、所定の手続きを踏んで必要な処理を終了させる必要があるからである。
【０００７】
例えば、記録ヘッドをキャップポジションへ移動させキャップする事により、インクの蒸発を防止する処理等が必要だからである。しかし、一方で、電源ＯＦＦ時（ＡＣ電源は供給しているが、制御回路の一部がオフ状態である）には機器の消費電力を下げる必要がある。これは、各種規制からも要請されており、また、実使用としても、ＯＦＦ時に消費電力が高いのは経済的では無い。
【０００８】
電源ＳＷで通常モードに移行する場合は、電源ＳＷからの割り込み信号（非マスク割り込み）を検出して、ＣＰＵが自動的に通常モードに移行する手段を用いている。従って、上述の様に物理的に電源の供給を停止する機能の無いプリンタに有っては、リモコンからの信号をＣＰＵのポートに直接入力し、リモコンコードを解釈し、電源のＯＮ／ＯＦＦコードに依ってＣＰＵを通常モードに移行させる事は不可能で有る。なぜなら、電源ＯＦＦ状態では、ＣＰＵは低消費電力モードに移行している為、機能していないからである。
【課題を解決するための手段】
【０００９】
上述の課題を解決し、目的を達成するために、本発明の記録装置は、画像データを入力して表示装置に対して画像データを出力する画像出力装置を備え、画像データに基づき記録ヘッドを用いて被記録媒体に記録動作を可能とする記録装置であって、電源スイッチと接続されている第１入力部を備える第１制御部と、リモコンデータを入力する第２入力部と前記リモコンデータの指示を判断する判断部を備える第２制御部とを備え、前記判断部が電源オンまたは電源オフであると判断した場合、前記第２制御部から前記第１制御部に対して信号を出力することを特徴とする。
【発明の効果】
【００１０】
以上のような構成により、リモコンからでも機器の電源オン／オフの移行制御を行うことができ、電源オフ時には、電子機器の消費電力を抑制することができる。
【発明を実施するための最良の形態】
【００１１】
本発明の電子機器の一実施形態として説明する記録装置の概略ブロック図を図１に示す。図１は、ＣＰＵと印刷処理及び周辺回路が一体化されたＡＳＩＣ１と、ビデオ表示用回路のＡＳＩＣ２とで構成されている。
【００１２】
ＡＳＩＣ（制御回路）１には、ＣＰＵ１−１、プリンタとしてのデータ処理を行うＰＲＩＮＴ処理回路（印字処理回路）１−５、ＣＰＵ１−１及びＰＲＩＮＴ処理回路１−５の作業用メモリＩＦを司るＲＡＭ＿ＩＦ１−４、ＡＳＩＣ（制御回路）２やＲＯＭ６とのアクセスＩＦを司る外部ＩＦ１−３を有している。
【００１３】
また、パーソナルコンピュータ（ＰＣ）との通信制御を司るＰＣＩＦ１−６、デジカメ等や記録媒体であるメモリカード用ＩＦとの通信制御を司るカードＩＦ１−２、赤外線通信用ＩＦを司るＩｒＤＡ＿ＩＦ１−７、及び、外部信号の状態を入力するＰｏｒｔＣｏｎｔｒｏｌｅｒ（ポートコントローラ）１−８が設けられている。このようにＡＳＩＣ（制御回路）１は、記録装置の全体の動作を制御する制御部である。
【００１４】
外部ＩＦ１−３には、外部バス７に依って、ＣＰＵ１−１用のプログラムメモリＲＯＭ６が接続されており、さらに、ＡＳＩＣ（制御回路）２が接続されている。
【００１５】
また、ＲＡＭ＿ＩＦ１−４には、作業用メモリとしてＲＡＭ５（例えばＳＤＲＡＭ等）が接続されている。また、各回路１−１〜１−８は、内部バス１−９で接続されている。
【００１６】
そして、図示しないＰＣ（ホスト装置）からＰＣ＿ＩＦ１−６を経由して送られてきた印刷用データ（記録データ）は、ＣＰＵ１−１、ＰＲＩＮＴ処理回路１−５に依って、必要な処理（例えばラスターデータをカラムデータに変換する処理）が施され、図示しない駆動機構に依って、印刷される。
【００１７】
この印刷動作は、例えば、シリアルタイプの記録装置であれば、記録ヘッドを搭載したキャリッジが記録シート（被記録媒体）に対して走査して、インクを吐出させ、記録シートに画像を形成する。
【００１８】
このように、大まかに役割を述べるとＡＳＩＣ（制御回路）１は、記録媒体に対して記録を行うためのデータ処理、記録動作の処理、ＡＳＩＣ（制御回路）２への転送するためのデータ処理、データ転送処理を行い、ＡＳＩＣ（制御回路）２は、ＡＳＩＣ（制御回路）１から画像データを受け取って、記録装置に接続されている表示装置に画像を表示するための処理（画像出力装置の制御）を行う。
【００１９】
なお、上述した印刷処理の別の形態として、カードＩＦ１−２からデータを入力し、あるいは、ＩｒＤＡ＿ＩＦ１−７からのデータ（例えば、携帯電話等から受信する）を入力して、ＣＰＵ１−１、ＰＲＩＮＴ処理回路１−５により処理され、記録媒体に記録を行う。
【００２０】
また、電源ＳＷ９は、ＰｏｒｔＣｏｎｔｒｏｌｅｒ１−８を経由してＣＰＵ１−１にその状態が伝達される。ＣＰＵ１−１では、図示しない割り込みコントローラでＳＷ９の変化をとらえ、必要に応じて、電源ＯＮ／ＯＦＦの処理を行う。
【００２１】
一方、外部バスに接続されているＡＳＩＣ２は、以下の様に構成されている。ＡＳＩＣ１とは、ＣＰＵ＿ＩＦ２−１でバス接続されている。ＣＰＵ＿ＩＦ２−１は、内部バス２−１１を介してリモコンデコーダ２−１０を経由し、外部のリモコン受光素子５に接続されている。また、ＣＰＵ＿ＩＦ２−１は、内部バス２−９、ＲＡＭ制御機能を持つア−ビタ２−２を介してビデオ用ＲＡＭ３に接続されている。
【００２２】
また、ビデオ用ＲＡＭ３は、アービタ２−２を介して、フリッカ除去フィルタ２−３及び、ビデオ信号データを生成する為の初段の入力器である拡大器２−４に接続されている。
【００２３】
拡大器２−４は、ビデオ用ＲＡＭ３から必要なデータを読みとりビデオ信号を形成するのに必要なサイズに成る様にリサイズした後、ビデオエンコーダ２−５へデータを送る。ビデオエンコーダで必要な処理を施されたデジタルデータは、ＤＡ変換器２−６でアナログデータに変換され、７５Ωの出力インピーダンスを持つ増幅器４でビデオ信号として出力される。
【００２４】
同期信号発生器２−７からの信号は、拡大器２−４、ビデオエンコーダ２−５に送られ、データ処理のタイミングを取ると共に、ビデオエンコーダでの同期信号を付加している。
【００２５】
リモコン受光素子は、図示しないリモコンからの情報を受け、リモコンデコーダでデータを解釈した後、正規（所定）のデータである事を判断すると、受信したデータを保持しつつ、ＣＰＵ＿ＩＦを経由してＡＳＩＣ１のＣＰＵ１−１に対して割り込み信号を発生させる。これにより、ビデオ出力画面上でのメニューの選択をリモコンの操作により行うことができる。
【００２６】
リモコンの操作の機能としては、メニュー操作の機能の他に、電源のＯＮ／ＯＦＦ機能も実装されている。電源ＯＮ／ＯＦＦ機能用のリモコンデータだけは、リモコンの他のキーとは別に、コード解釈機能を有している。これは、電源ＯＦＦ時にリモコンの電源キーが入力された事を自動的に解釈する為である。
【００２７】
即ち、電源スイッチ（ＰｏｗｅｒＳＷ）からの情報やリモコンの電源キーによる電源がＯＦＦの指示を受けると、ＡＳＩＣ１の不必要な機能ブロックに対するクロック信号の供給を停止すると共に、クロック信号を停止させないブロック（外部割り込みに依ってスリープ状態から動作状態に移行させるのに必要なブロック）に対するクロック信号についてもその周波数を下げて消費電力を抑制する様に構成されている。
【００２８】
このような制御は、ＡＳＩＣ２でも必要な機能（リモコンデコーダ２−１０、ＣＰＵ＿ＩＦ２−１）以外は、クロックを停止し、低消費電力に成る様に構成されている。
【００２９】
この時、リモコン受光素子から、リモコンの電源キーに相当するデータが入力されると、予め（電源ＯＦＦの状態に成る前に）リモコンデコーダ２−１０の内部の電源キー用コード識別レジスタにセットされたデータと受信したデータとを比較し、正しく電源キーが入力されたことが識別（判断）されると、リモコンデコーダ２−１０からＣＰＵ＿ＩＦ２−１を介してＣＰＵ１−１に割り込み信号が入力される。
【００３０】
この割り込み信号に依ってＣＰＵ１−１は覚醒状態（スリープ状態から動作状態に移行）になり、必要であれば、リモコンデコーダ２−１０に保持されているリモコンデータをモニタし、正しく電源キーが入力された事を判断すると、ＡＳＩＣ１、ＡＳＩＣ２のシステムのクロック信号の状態を通常の状態に戻し、電源ＯＮ状態にする。
【００３１】
尚、リモコンデコーダ２−１０は、リモコンの電源キー（特定の１つのキー）以外のキーは、データの中身までは判別せず、データの並びが正規の並びであれば、正しくデータを受信したと判別する様に構成されている。
【００３２】
これは、回路規模を少なくする為である。また、電源ＯＦＦ時には、リモコンの電源キー以外には反応しない様に回路（割り込み発生回路）をマスクしている。
【００３３】
次に、ビデオ用データのデータ構造について簡単に説明する。ビデオ信号生成用に設けられたビデオ用ＲＡＭ３（例えば、安価にする為ＳＤＲＡＭで構成している）からデータをリードする場合、実時間に対応出来る速度でデータをリードする必要が有る。
【００３４】
特に、ビデオ信号を構成する輝度信号と色差信号は、必要なタイミングで同時化する必要が有る。そこで、より高速にＲＡＭ３から３種類（Ｙ、Ｕ、Ｖ）のデータリードする為には、メモリ上の配置が近接している事が好ましい。
即ち、いわゆるバーストアクセスが可能となり、実時間（リアルタイム）処理に好ましい。そこで、本実施例では、ＲＡＭ３をデータｂｉｔ幅１６ｂｉｔのＳＤＲＡＭを用いて、ｂｉｔ（ビット）深さ方向に、ＹとＵ、ＹとＶを並べて配置する構成としている。
【００３５】
図２では、リモコンデコーダを若干詳しく記載して説明を補足しておく。図１と同じ箇所は同じ記号を付してある。本実施例では、リモコンとして、リモコンの操作ＳＷに対応するコードデータを光信号（特に赤外線）に変換して送信するリモコンについて説明する。
【００３６】
また、リモコンのデータフォーマットは種々あるが、１つのフォーマットを例に取って説明する。図示しないリモコンから時系列に送られる光信号は、リモコン受信器８で、光信号から２値の時系列電気信号に変換される。Ｂｉｔデータデコーダ２−１０−１では、リモコン受信器８からの２値の時系列電気信号の“Ｈ”“Ｌ”の時間間隔から“１”“０”のデータを判別し、Ｂｉｔデータを抽出する。
【００３７】
この時、２値の時系列電気信号の先頭に挿入されているリーダーコード（Ｌｅａｄｅｒ  Ｃｏｄｅ）を判別し、正しくＬｅａｄｅｒ  Ｃｏｄｅが検出されるとＢｉｔデータを抽出する様に構成されている。Ｌｅａｄｅｒ  Ｃｏｄｅは、Ｂｉｔデータの“１”“０”とは、“Ｈ”“Ｌ”の時間間隔が異なる様に規定されている為、Ｌｅａｄｅｒ  Ｃｏｄｅとして判別出来る様に成っている。
【００３８】
抽出されたＢｉｔデータは、データ列判別器２−１０−２で、リモコンに割り振られているカスタムコード（Ｃｕｓｔｏｍ  Ｃｏｄｅ）の判別と、データコード（Ｄａｔａ  Ｃｏｄｅ）のフォーマットが正しいかを判別する。ここで、Ｃｕｓｔｏｍ  Ｃｏｄｅの判別は、予めリモコンデコーダ２−１０内のレジスタにＣＰＵ１−１から設定した「参照カスタムコード（Ｃｕｓｔｏｍ  Ｃｏｄｅ）」と受信したカスタムコードとを比較し、同じであれば正しいリモコンからの信号が送信されたとみし、次の処理に移る。カスタムコードが正しく無い場合は、リモコンからのデータを無視し処理を終える。
【００３９】
カスタムコードが正しい場合、次に、データコードのフォーマットが正しいかを判別する。データコードのフォーマットは、データコードの後半８ｂｉｔがデータコード前半８ｂｉｔの反転データに成る様に規定されているので、この関係を判別出来る様に構成されている。但し、データコードの中身については解釈しない。
【００４０】
そして、データコードが正しいと、リモコンから正規のデータが送られてきたものと解釈し、データコードをリモコンデコーダ２−１０の内部レジスタに「受信データコード（Ｄａｔａ  Ｃｏｄｅ）」として格納する。この格納されたデータは、割り込み信号を受けて、ＣＰＵ１−１により読み出され、リモコンによる指示に応じた処理を行うことができる。
【００４１】
そして、正しくデータコードを受信した事を特定コード判別器２−１０−３へ通知すると共に、ＣＰＵ１−１に割り込みを通知するため、割り込み信号を割り込みコントローラ２−１０−４へ送る。
【００４２】
一方、データコードが正しく無い場合は、リモコンからのデータを無視し処理を終える。
【００４３】
特定コード判別器２−１０−３では、データ列判別器２−１０−２からの通知を受けて、予めリモコンデコーダ２−１０内のレジスタにＣＰＵ１−１から設定した「参照データコード」と、受信したデータコードを比較する。比較した結果、同じデータである場合のみ、割り込みコントローラ２−１０−４へ割り込み信号を送る。
【００４４】
割り込みコントローラでは、データ列判別器２−１０−２、特定コード判別器２−１０−３からの割り込み信号を受けて、割り込み状態（ｓｔａｔｕｓ）レジスタに割り込み信号発行元を示す情報をセットすると共に、割り込みマスクレジスタの割り込み信号発行元に対応する個別の状態に依って、割り込みマスクが設定されていない場合は、ＣＰＵ＿ＩＦ２−１に割り込み信号を送る。
【００４５】
このように、ＣＰＵ１−１は、リモコンから電源オン／オフの指示、あるいは他の操作の指示が送られてきたかが割り込み信号の発行元を示す情報で判断できる。
【００４６】
ＣＰＵ＿ＩＦ２−１では、他のブロックからの割り込み信号と合わせて、必要であれば、ＣＰＵ１−１へ割り込み信号を送る様に構成されている。
【００４７】
次に、電源オン（ＯＮ）からオフ（ＯＦＦ）への移行及び、電源ＯＦＦからＯＮへの移行について簡単に説明する。
【００４８】
まず、電源ＯＮから電源ＯＦＦへの移行について説明する。ＰｏｗｅｒＳＷ（パワースイッチ）９からの割り込み信号、または、図示しないリモコンのデータコード（電源オフの指示）を受信した事によるリモコンデコーダ２−１０からの割り込み信号をＣＰＵ１−１が受信する。ＣＰＵ１−１は、リモコン以外のブロックの電源オフ処理を完了するまでに、割り込みコントローラ２−１０−４の割り込みマスクに依って、データ列判別器２−１０−２からの割り込み信号をＣＰＵ１−１に通知しない様にマスクする。しかし、特定コード判別器２−１０−３からの割り込み信号はＣＰＵ１−１に通知出来る様に、割り込みマスクは解除（割り込み許可）しておく。
【００４９】
この状態で、ＣＰＵ１−１は、電源オフ処理を行う。例えば、記録装置の印刷機構の電源オフのための処理、割り込み信号を受信するのに必要の無いブロックのクロックの停止（または、クロック周波数の低下）や、ＣＰＵ１−１のスリープ処理等が行われる。
【００５０】
この電源ＯＦＦ状態では、図からも分かる様に、ＰｏｗｅｒＳＷ９とリモコンからのデータ受信のみが可能と成って居る。更に、リモコンのデータ受信では、データ列判別器２−１０−２の割り込みはマスクされ、特定コード判別器２−１０−３からの割り込みのみが許可されて居る為、予め設定した（ＡＣ電源投入時のイニシャル処理時に設定するか、電源ＯＦＦ処理の時に設定する）「参照データコード（ＤａｔａＣｏｄｅ）」の信号がリモコンから送られて来た時のみＣＰＵ１−１に通知される。
【００５１】
この予め設定する「参照ＤａｔａＣｏｄｅ」に、リモコンの電源キーに対応するＤａｔａＣｏｄｅを設定しておくと、リモコンからは、電源キーのみに反応し、その他のキーには反応しない様にできる。
【００５２】
次に、電源ＯＦＦの状態から、電源ＯＮの状態への移行について説明する。電源ＯＦＦの状態で、ＰｏｗｅｒＳＷ９または、リモコンの情報に依る割り込みが入ると電源ＯＮ処理を行う。この時ＣＰＵ１−１は、割り込み信号により、スリープ（Ｓｌｅｅｐ）モードから通常モードに移行し、その後、先に停止した（または、周波数を落とした）クロック信号の周波数を通常の周波数に戻し、リモコンからの通常キーの信号を受信出来る状態に成った時点で、電源ＯＦＦ処理の時にマスクしたデータ判別器２−１０−２からの割り込みマスクを解除（許可）する。
【００５３】
以上までは、記録装置に備えられた操作部のキー入力、あるいはリモコンからの信号による電源オン／オフの遷移の説明である。これは、商用電源から記録装置に電源供給がなされ、記録装置内部の電気部品に対して、物理的に電源をＯＦＦしていない状態での遷移である。
【００５４】
一方で、物理的に電源をＯＦＦする状態として、ＡＣ（電源）をＯＦＦ（ＡＣコンセントを抜く）し、物理的に電源をＯＦＦからＯＮする状態として、ＡＣ（電源）をＯＮする（ＡＣコンセントを挿入する）場合がある。
【００５５】
ＡＣをＯＮした時は、ＣＰＵ１−１に電源が投入された後、所定の時間の後ハードリセットが解除され、ＣＰＵ、その他ロジック回路が動作可能と成る。
【００５６】
この時ＣＰＵは、ＣＰＵ及び必要な周辺回路等のイニシャライズ（初期化）を行う。
【００５７】
リモコン関係の初期化は、リモコンデコーダ２−１０の「参照データコード」、「参照カスタムコード」をセットし、その後、割り込みマスクはハードリセット時全ての割り込みが不許可に成っているので、特定コード判別器２−１０−３からの割り込みのみを許可し、他はマスクした状態を維持する様にする。この時点で、通常動作時に電源ＯＦＦの状態に遷移した状態に成る為、以降は、上記の手順に従う様に制御する。
【００５８】
以上のような構成により、物理的に電源の供給を停止する機能の無いプリンタでも、キー（リモコンからのキーも含む）からの指示に依って遷移した電源ＯＦＦ状態（低消費電力モード）で、必要以外のブロックのクロックを停止（またはクロック周波数を下げる）して、機器としての消費電力を下げ、その後のキーの刺激で通常動作モードに移行する事が可能と成る。
【００５９】
次に、リモコンのデータコードの構成を図３に簡単に記載しておく。
【００６０】
図３の（ａ）は、リモコンのデータコードの説明の為の図である。即ち、先頭にリーダーコード（Ｌｅａｄｅｒ  Ｃｏｄｅ）があり、その後に続く１６ｂｉｔでカスタムコード（Ｃｕｓｔｏｍ  Ｃｏｄｅ）を表現し、その後の８ｂｉｔでデータコード（Ｄａｔａ  Ｃｏｄｅ）、最後の８ｂｉｔでデータコード（Ｄａｔａ  Ｃｏｄｅ）の反転を表現し、両者の値でデータコードが正しいかを判別出来る構造に成っている。
【００６１】
図３（ｂ）は、データ判別器２−１０−２で判別するデータの構造を説明する図である。ここで、Ｃｕｓｔｏｍ  Ｃｏｄｅの一例として、ＸＸＸＸｈが記載されている。従って、予め設定される「参照Ｃｕｓｔｏｍ  Ｃｏｄｅ」としては、ＸＸＸＸｈをセットし、データ判別器２−１０−２でこの値が入力されるデータのＣｕｓｔｏｍＣｏｄｅ領域のデータを一致するかを比較している。その後に続くＤａｔａ  Ｃｏｄｅは、データ判別器２−１０−２では、データの中身は問題にせず、更にその後に続くＤａｔａ  Ｃｏｄｅの反転データと正しく反転関係にあるかを判別している。
【００６２】
図３（ｃ）は、特定コード判別器２−１０−３でのデータを説明する為の模式図である。図中の後半１６ｂｉｔのデータを説明する為に、或値を例として記載している。ここでは、予め設定する「参照Ｄａｔａ  Ｃｏｄｅ」、即ち、リモコンの電源キーに対応するコードである。このコードが入力されれば、装置が電源オフ状態であれば、電源オンのコードとして判別され、装置が電源オン状態であれば、電源オフのコードとして判別される。
【００６３】
前半のＤａｔａ  Ｃｏｄｅ＝ＡＢｈとすると、Ｄａｔａ  Ｃｏｄｅの反転＝５４ｈと成る。従って、予め設定する「参照Ｄａｔａ  Ｃｏｄｅ」としては、ＡＢ５４ｈがＣＰＵからセットされ、特定コード判別器２−１０−３では、入力されたデータがこのデータに成っていれば、上記に記載した様に割り込み信号を発生させる様に成っている。
【００６４】
尚、本実施例では、図１からもわかる様に、リモコンデコーダとビデオエンコード処理系の回路を同一チップ上に実装している。
【００６５】
これは、上述した様に、ＴＶ画面でプリンタの操作のメニューを表現する事と、離れてリモコン等で操作についての関係が強いと考えられるからである。
【００６６】
従って、通常のプリント装置を実現する場合は、このチップのみ実装を行わない様にすれば、容易に実現可能となり、逆に、ＴＶ表示を行う時は、この一体化したチップを実装する事により容易に実現出来る様にするためである。
【００６７】
以上のように、本発明を記録装置の形態にて説明したが、この形態に限定するものではなく、例えば、他の形態の電子機器として、スキャナーなどの画像読取装置や、ファクシミリ装置、複写機などに適用しても構わない。
【図面の簡単な説明】
【００６８】
【図１】本発明に関する一実施形態の記録装置のブロック図。
【図２】リモコンデコーダの構成を示すブロック図。
【図３】リモコンデーダを説明する図。
【図１】
2006095850.tif 000003
【図２】
2006095850.tif 000004
【図３】
2006095850.tif 000005